(57)【要約】      （修正有）【課題】従来のタングステン電球照明を代替し、製造が経済的で、光射出効果が優れ、耐用年数及び効果を可能な限り保つことができる、各種の照明設備に使用可能なＬＥＤ照明を提供する。【解決手段】台座１０と、ＬＥＤモジュール３０と、反射体５０と、棒フレームとからなる。ＬＥＤモジュールは台座一端に設けられるとともに、少なくともＬＥＤ発光体及び電子回路板３１と電極ピン３３により電気的に接続される。反射体は、断面が略逆三角形状を呈した反射曲面５１を有する。棒フレームは、反射体を浮いた状態で台座に取り付けるための差込棒６１を有することにより、反射曲面とＬＥＤモジュールの間に固定間隔Ｘが保たれ、且つ周囲に開口した放熱スペースＳが形成される。反射曲面はＬＥＤモジュールの光源を直接投射して、最大面積、且つ所定の配光形状分布に照射する。【選択図】図４
0003191584.tif 000002
【実用新案登録請求の範囲】
【請求項１】
台座と、ＬＥＤモジュールと、反射体と、棒フレームとからなる、ＬＥＤ照明であって、
前記ＬＥＤモジュールは、前記台座一端に設けられ、
前記反射体は、反射曲面を有し、
前記棒フレームは、反射体を台座から浮いた状態で取り付けるための差込棒を有するとともに、前記反射曲面と前記ＬＥＤモジュールの間を固定間隔に保ち、且つ周囲に開口した放熱スペースを形成することにより、前記ＬＥＤモジュールに電気エネルギーが提供されて光源を生じた時、前記光源は前記反射曲面に直接投射されて、所定の配光形状分布に照射されることを特徴とする、ＬＥＤ照明。
【請求項２】
前記台座一端における両側には、それぞれ差込孔が凹設され、
前記台座外周には、第二ボルトを組合せるための第二ネジ孔が少なくとも一つ凹設され、
前記第二ネジ孔は、前記差込孔と繋がって設けられ、
前記反射体は、一面に断面が略逆三角形状を呈する反射曲面が形成されるとともに、前記差込孔と対応するように第四孔が設けられ、
前記棒フレームは、前記反射体に固設されるとともに、前記第四孔と差込孔を順に沿って貫くための二つの差込棒を有し、
二つの前記差込棒は、前記第二ボルトによって差込孔に螺合されることを特徴とする、請求項１に記載のＬＥＤ照明。
【請求項３】
前記台座一端には、設置台が凹設され、
前記設置台におけるもう一方の両側には、それぞれ第一ネジ孔が凹設され、
前記ＬＥＤモジュールは、前記設置台に嵌設された電子回路板と、前記電子回路板に取り付けられた少なくとも一つのＬＥＤと、前記電子回路板と接続されて延伸した二つの電極ピンとからなり、
二つの前記電極ピンは、前記台座を貫くように設けられ、
前記設置台には、その周囲に対応するように第一装飾蓋が被覆され、
前記第一装飾蓋には、前記ＬＥＤを露出させるための第一孔が形成され、且つ前記第一ネジ孔と対応するように第二孔が貫設され、
前記第二孔には、前記第一ボルトが埋設されることにより、前記第一装飾蓋が前記第一ネジ孔に螺合され、
更に前記第一装飾蓋には、複数の第三孔が貫設され、
二つの前記第三孔は、前記差込孔と対応するように設けられるとともに、前記差込棒が貫設されることを特徴とする、請求項２に記載のＬＥＤ照明。
【請求項４】
前記反射体のもう一方の面には、凹状スペースが形成され、
前記凹状スペースには、前記差込孔と対応するように第四孔が貫設されるとともに、前記第四孔に沿うように差込台座が設けられ、
二つの前記差込台座は、交わり合う差込溝を有し、
前記凹状スペースにおける前記差込台座の交わり合う位置には、角台座が設けられ、
前記角台座は、二つの差込溝と繋がった角溝を有し、
前記棒フレームにおける二つの差込棒外端には、前記差込溝に沿うように延伸した接続部分が設けられ、
二つの前記接続部分は、前記棒フレームと前記反射体とを固定するために、「く」の字状を呈して交わり合うように前記角溝に取り付けられ、
更に前記凹状スペースにおける二つの前記差込台座の間には、第三ネジ孔を有する螺合台座が設けられ、
前記凹状スペースには、第二装飾蓋が対応するように被覆して設けられ、
前記第二装飾蓋は、前記第三ボルトを貫設するための皿モミ孔が設けられることにより、前記螺合台座の第三ネジ孔と螺合されることを特徴とする、請求項２に記載のＬＥＤ照明。
【請求項５】
前記台座は、アルミニウム素材によって二段階状の柱体に成形され、且つ同軸に設けられた大径部分及び小径部分を有し、
前記大径部分と小径部分の接続部には、リングを取り付けるための環状溝が設けられ、
前記大径部分の周囲には、放熱フィンが設けられ、
前記小径部分には、照明設備に固定するための取付突起が設けられ、
前記リングは、緩衝或いは気密性向上のために前記台座と前記照明設備の接続部分に設けられ、
前記棒フレームは、弾性鋼或いはバネ鋼によって製造されることを特徴とする、請求項１から４に記載のＬＥＤ照明。
【考案の詳細な説明】
【技術分野】
【０００１】
本考案は、ＬＥＤ照明の技術に関し、特にタングステン電球に類似した照射特性を有するとともに、良好な放熱性の経路を有し、且つ光射出効果が優れているため、経済性に適った実用進歩性を備えることが可能な、ＬＥＤ照明に関する。
【背景技術】
【０００２】
従来のタングステン電球は、カーライトに使用された時、タングステンによって法規基準に適う配光形状及び輝度を生じる。このため、タングステン電球には、電力消費量が大きく、発光時に高い熱エネルギーを生じ、耐用年数が短い等の欠点があり、既にＬＥＤに取って代わられてきている。ＬＥＤは、輝度が高い、省エネである、環境にやさしい、耐用性に優れている、といった長所を持つものの、射光の方向が一定であるため、照明器具に使用された際の配光角度を効果的に拡大することができない。これに対し、複数個のＬＥＤの分布及び配置角度の変化によって対応することができるが、製造コストの増加及びＬＥＤ光源が集中せず拡散してしまうといった難点がある。
【０００３】
上述の状況に対応するための構造が、台湾特許第Ｍ４６８６２４号「タングステンに類似したＬＥＤ電球の構造」明細書に開示されているが、少なくとも以下の欠点が残されている。
１、放熱性が悪い：ＬＥＤがランプカバーで覆い包まれているため、密封或いは半密封されたスペースにＬＥＤから生じた熱エネルギーが徐々に蓄積される。よって、ＬＥＤへの入力電源のうち６５％が熱になってしまう。また密封或いは半密封されたスペースに蓄積された熱は、ＬＥＤの効率を低下させるだけでなく、ＬＥＤの寿命を縮める。一般的に、ＬＥＤの寿命は十万時間程度であるが、作業温度が８５℃を超えると、大幅に低下する。特に反射部品がＬＥＤと接触している場合、このような蓄熱による欠点はより顕著になる。
２、製造コストが高い：左ランプケースと右ランプケースと結合部と反射部品とからなるランプカバーは、構成部品が多くて複雑なだけでなく、組立にかなりの時間と労力を要する。よって、極めて非経済的である。
３、光射出効果が低い：反射部品がＬＥＤと接触しているため、反射部品がＬＥＤ光源を投射して所定の配光形状を生じる時、前記配光形状のかなりの部分が台座一端によって遮られてしまう。よって、光射出効果には改善の余地がある。
【先行技術文献】
【特許文献】
【０００４】
【特許文献１】台湾特許第Ｍ４６８６２４号明細書
【考案の概要】
【考案が解決しようとする課題】
【０００５】
本考案は、タングステン電球に類似した照射特性を有するとともに、良好な放熱性の経路を有し、且つ光射出効果が優れているため、経済性に適った実用進歩性を備えることが可能な、ＬＥＤ照明を提供することを目的とする。
【課題を解決するための手段】
【０００６】
上述の目的を達成するため、本考案は、台座と、ＬＥＤモジュールと、反射体と、棒フレームとからなる。前記ＬＥＤモジュールは、台座一端に設けられる。前記反射体は、反射曲面を有する。前記棒フレームは、反射体を台座から浮いた状態で取り付けるための差込棒を有するとともに、反射曲面とＬＥＤモジュールの間を固定間隔に保ち、且つ周囲に開口した放熱スペースを形成することにより、ＬＥＤモジュールに電気エネルギーが提供されて光源を生じた時、反射曲面が光源を直接投射して、所定の配光形状分布に照射する。
【考案の効果】
【０００７】
以上のように本考案は、上述の特許における左ランプケース・右ランプケース・結合部を棒フレームとしてまとめた構造により、軽量化、構造の簡易化、組立効率の向上という長所を備え、経済性において大幅な改善を可能にする。更に重要なのは、本考案において、台座がＬＥＤモジュールに対して熱伝導の働きを有することに加え、固定間隔と放熱スペースによって空気対流を周囲へと導くことである。このような二重の放熱構造及び効果により、前記ＬＥＤモジュールが備えた耐用年数を可能な限り維持することができる。また、前記固定間隔と放熱スペースは、台座一端による光の遮蔽を減少させ、光射出効果を向上させるという長所を備える。
【図面の簡単な説明】
【０００８】
【図１】本考案の分解図である。
【図２】本考案の反射体と棒ユニットの相対的な位置を示した概略図である。
【図３】本考案を組合せた際の外観を示した概略図である。
【図４】本考案の断面図である。
【図５】本考案の実施例を示した概略図である。
【考案を実施するための形態】
【０００９】
図１から図５を参照する。本考案は、台座１０と、リング２０と、ＬＥＤモジュール３０と、第一装飾蓋４０と、反射体５０と、棒フレーム６０とからなる。
【００１０】
台座１０は、放熱性を備えるとともに、アルミニウム素材によって二段階状の柱体に成形され、且つ同軸に設けられた大径部分１１及び小径部分１２を有する。大径部分１１と小径部分１２の接続部には、環状溝１３が設けられる。大径部分１１周囲には、放熱フィン１１１が設けられる。小径部分１２には、照明設備に固定するための取付突起１２１が設けられるとともに、一端に設置台１２２が凹設される。設置台１２２両側には差込孔１２３がそれぞれ凹設され、もう一方の両側には第一ネジ孔１２４がそれぞれ凹設される。更に小径部分１２外周には、第二ボルト１２６を組合せるための第二ネジ孔１２５が少なくとも一つ凹設され、第二ネジ孔１２５は差込孔１２３と繋がっている。
【００１１】
リング２０は、環状溝１３の係止孔２１と対応して組合されるとともに、台座１０と照明設備の接続部分に対して緩衝或いは気密性を高める働きをする。
【００１２】
ＬＥＤモジュール３０は、設置台１２２に嵌設された電子回路板３１と、電子回路板３１に取り付けられた少なくとも一つのＬＥＤ３２と、電子回路板３１と接続されて延伸した二つの電極ピン３３とからなる。二つの電極ピン３３は、台座１０を貫いて設けられるため、ＬＥＤ３２に光源を生じるための直流電気エネルギーを与えることができる。
【００１３】
第一装飾蓋４０は、設置台１２２の周囲に対応するように被覆して、ＬＥＤモジュール３０と台座１０の接続部における外観を装飾するとともに、ＬＥＤ３２を露出させるための第一孔４１が形成され、且つ第一ネジ孔１２４と対応するように第二孔４２が貫設される。これにより、第二孔４２に第一ボルト４３が埋設されて、第一装飾蓋４０が第一ネジ孔１２４に螺合される。更に、第一装飾蓋４０には複数の第三孔４４が貫設され、このうち二つの第三孔４４は差込孔１２３と対応し、残りの第三孔４４はＬＥＤモジュール３０の放熱に使用される。
【００１４】
反射体５０は、逆三角形状の錐体であるとともに、一面には断面が略逆三角形状を呈する反射曲面５１が形成される。反射曲面５１は、真空電気めっきによって加工される。また反射体５０のもう一方の面には、凹状スペース５２が形成される。凹状スペース５２には、二つの差込孔１２３と対応するように二つの第四孔５３が貫設され、各第四孔５３に沿うように二つの差込台座５４が設けられる。二つの差込台座５４は、それぞれ互いに交わり合う差込溝５４１を有し、凹状スペース５２における差込溝５４１の交わり合う位置には角台座５５が設けられる。角台座５５は、二つの差込溝５４１と繋がった角溝５５１を有する。更に凹状スペース５２における二つの差込台座５４の間には、第三ネジ孔５６１を有する螺合台座５６が設けられる。
【００１５】
棒フレーム６０は、弾性鋼或いはバネ鋼によって製造されるとともに、第四孔５３と第三孔４４と差込孔１２３を順に沿って貫く二つの差込棒６１を有する。二つの差込棒６１内端はそれぞれ第二ボルト１２６によって差込孔１２３に螺合され、二つの差込棒６１外端には差込溝５４１に沿うように延伸した接続部分６２が設けられる。二つの接続部分６２は、「く」の字状を呈して交わり合うように角溝５５１に取り付けられる。これにより、反射体５０は台座１０一端に浮いた状態で設けられるため、反射曲面５１とＬＥＤモジュール３０の間に固定間隔Ｘが保たれ、且つ周囲に開口した放熱スペースＳが形成される。以上により、二つの電極ピン３３がＬＥＤモジュール３０に電気エネルギーを提供してＬＥＤ３２が光源を生じた時、反射体５０の反射曲面５１が前記光源を直接投射することにより、光の反射効果を向上させつつ所定の配光形状分布を生じ、更にはタングステン電球に類似した照射特性を生じる。前述した二つの差込棒６１は、ほどんど配光形状を遮断することがないため、正常な照射に影響することはない。
【００１６】
第二装飾蓋７０は、反射体５０の凹状スペース５２に対応するように被覆するとともに、第三ボルト７１を貫設するための皿モミ孔７２が設けられることにより、第二装飾蓋７０は螺合台座５６の第三ネジ孔５６１に螺合される。更に第二装飾蓋７０外端には、第三装飾蓋７４を取り付けるための収容スペース７３が凹設される。第三装飾蓋７４表面には、製品商標や型番を設けることができる。
【００１７】
上述の構造により、本考案は少なくとも以下の長所を有する。
１、良好な放熱性を備える：本考案は、台座１０がＬＥＤモジュール３０に対する熱伝導の働きを有することに加え、固定間隔Ｘ及び放熱スペースＳの開放スペースによって、空気対流を利用してＬＥＤモジュール３０の熱を周囲へと伝導する。このような二重の放熱構造と効果によって、ＬＥＤ３２の作業温度は８５℃よりも遥かに低くなり、前記ＬＥＤモジュールが有する耐用年数及び発光効果を可能な限り維持することができる。
２、製造コストを効果的に低下させる：本考案は、上述の従来特許における左ランプケースと右ランプケースと結合部と反射部品とからなる複雑な構造を、棒フレームと反射体とによる構造に簡易化した。この構造により、軽量化、構造の簡易化、組立効率の向上という長所を有するため、本考案は製造における経済性の要求に応えることができる。
３、光射出効果が優れている：本考案は、固定間隔Ｘと放熱スペースＳによって、台座一端が配光形状を遮蔽するという問題を減少させ、効果的に光射出効果を向上させることができる。
【符号の説明】
【００１８】
１０   台座
１１   大径部分
１１１ フィン
１２   小径部分
１２１ 取付突起
１２２ 設置台
１２３ 差込孔
１２４ 第一ネジ孔
１２５ 第二ネジ孔
１２６ 第二ボルト
１３   環状溝
２０   リング
２１   係止孔
３０   ＬＥＤモジュール
３１   電子回路板
３２   ＬＥＤ
３３   電極ピン
４０   第一装飾蓋
４１   第一孔
４２   第二孔
４３   第一ボルト
４４   第三孔
５０   反射体
５１   反射曲面
５２   凹状スペース
５３   第四孔
５４   差込台座
５４１ 差込溝
５５   角台座
５５１ 角溝
５６   螺合台座  
５６１ 第三ネジ孔
６０   棒フレーム
６１   差込棒
６２   接続部分
Ｘ            固定間隔
Ｓ            放熱スペース
７０   第二装飾蓋
７１   第三ボルト
７２   皿モミ孔
７３   収容スペース
７４   第三装飾蓋
【図１】
0003191584.tif 000003
【図２】
0003191584.tif 000004
【図３】
0003191584.tif 000005
【図４】
0003191584.tif 000006
【図５】
0003191584.tif 000007
【手続補正書】
【提出日】平成26年4月23日(2014.4.23)
【手続補正１】
【補正対象書類名】実用新案登録請求の範囲
【補正対象項目名】請求項３
【補正方法】変更
【補正の内容】
【請求項３】
前記台座一端には、設置台が凹設され、
前記設置台におけるもう一方の両側には、それぞれ第一ネジ孔が凹設され、
前記ＬＥＤモジュールは、前記設置台に嵌設された電子回路板と、前記電子回路板に取り付けられた少なくとも一つのＬＥＤと、前記電子回路板と接続されて延伸した二つの電極ピンとからなり、
二つの前記電極ピンは、前記台座を貫くように設けられ、
前記設置台には、その周囲に対応するように第一装飾蓋が被覆され、
前記第一装飾蓋には、前記ＬＥＤを露出させるための第一孔が形成され、且つ前記第一ネジ孔と対応するように第二孔が貫設され、
前記第二孔には、第一ボルトが埋設されることにより、前記第一装飾蓋が前記第一ネジ孔に螺合され、
更に前記第一装飾蓋には、複数の第三孔が貫設され、
二つの前記第三孔は、前記差込孔と対応するように設けられるとともに、前記差込棒が貫設されることを特徴とする、請求項２に記載のＬＥＤ照明。
【手続補正２】
【補正対象書類名】実用新案登録請求の範囲
【補正対象項目名】請求項４
【補正方法】変更
【補正の内容】
【請求項４】
前記反射体のもう一方の面には、凹状スペースが形成され、
前記凹状スペースには、前記差込孔と対応するように第四孔が貫設されるとともに、前記第四孔に沿うように差込台座が設けられ、
二つの前記差込台座は、交わり合う差込溝を有し、
前記凹状スペースにおける前記差込台座の交わり合う位置には、角台座が設けられ、
前記角台座は、二つの差込溝と繋がった角溝を有し、
前記棒フレームにおける二つの差込棒外端には、前記差込溝に沿うように延伸した接続部分が設けられ、
二つの前記接続部分は、前記棒フレームと前記反射体とを固定するために、「く」の字状を呈して交わり合うように前記角溝に取り付けられ、
更に前記凹状スペースにおける二つの前記差込台座の間には、第三ネジ孔を有する螺合台座が設けられ、
前記凹状スペースには、第二装飾蓋が対応するように被覆して設けられ、
前記第二装飾蓋は、第三ボルトを貫設するための皿モミ孔が設けられることにより、前記螺合台座の第三ネジ孔と螺合されることを特徴とする、請求項２に記載のＬＥＤ照明。
【手続補正３】
【補正対象書類名】実用新案登録請求の範囲
【補正対象項目名】請求項５
【補正方法】変更
【補正の内容】
【請求項５】
前記台座は、アルミニウム素材によって二段階状の柱体に成形され、且つ同軸に設けられた大径部分及び小径部分を有し、
前記大径部分と小径部分の接続部には、リングを取り付けるための環状溝が設けられ、
前記大径部分の周囲には、放熱フィンが設けられ、
前記小径部分には、照明設備に固定するための取付突起が設けられ、
前記リングは、緩衝或いは気密性向上のために前記台座と前記照明設備の接続部分に設けられ、
前記棒フレームは、弾性鋼或いはバネ鋼によって製造されることを特徴とする、請求項１から４のいずれか一項に記載のＬＥＤ照明。